(57)【要約】      （修正有）【課題】簡単につけられて、変化に富み、耐用性、耐摩性及び耐水性に優れる装身具の構造を提供する。【解決手段】主にファスナー本体、少なくとも一つのスライダー、オスボタン及びメスボタンで構成する一種の装身具の構造である。ファスナー本体は並列に設置し、互いに噛合して一体化できる第一チェーン及び第二チェーンを具有し、第一チェーン及び第二チェーンはそれぞれ複数の互いに連結する第一エレメント及び第二エレメントで構成する。スライダーをファスナー本体に設置し、第一チェーン及び第二チェーンが互いに分離或いは噛合するのをコントロールする。オスボタンを該ファスナー本体の一端に設置し、メスボタンをファスナー本体のオスボタンの別端に設置してオスボタンと掛合する。【選択図】図２
0003160670.tif 000002
【実用新案登録請求の範囲】
【請求項１】
ファスナー本体、スライダー、オスボタン、メスボタンを含み、
該ファスナー本体は並列に設置し、互いに噛合して一体化できる第一チェーン及び第二チェーンを具有し、該第一チェーン及び第二チェーンはそれぞれ複数の互いに連結する第一エレメント及び第二エレメントで構成し、
少なくとも一つのスライダーを該ファスナー本体に設置し、該第一チェーン及び第二チェーンが互いに分離或いは噛合するのをコントロールし、及び、
オスボタンを該ファスナー本体の一端に設置し、
メスボタンを該ファスナー本体の該オスボタンの別端に設置し、該オスボタンと掛合することを特徴とする装身具の構造。
【請求項２】
前記ファスナー本体の素材はポリアセタール(ＰＯＭ)であることを特徴とする請求項１記載の装身具の構造。
【請求項３】
前記第一エレメント及び第二エレメントの表面に複数のクリスタルダイヤモンド或いはスパンコールを設置できることを特徴とする請求項１記載の装身具の構造。
【請求項４】
前記スライダーに一つの引き手を設置し、該引き手は更にリング或いはチャームを設置できることを特徴とする請求項１記載の装身具の構造。
【請求項５】
前記スライダーに一つのフックを設置することを特徴とする請求項１記載の装身具の構造。
【請求項６】
前記オスボタンの素材はポリアセタール(ＰＯＭ)であることを特徴とする請求項１記載の装身具の構造。
【請求項７】
前記メスボタンの素材はポリアセタール(ＰＯＭ)であることを特徴とする請求項１記載の装身具の構造。
【考案の詳細な説明】
【技術分野】
【０００１】
本考案は装身具の技術に関し、特に実用且つ便利、耐摩擦、耐用性があり、変化に富む装身具の構造に関する。
【背景技術】
【０００２】
現代の生活レベルが上がり、日常生活の中で、ＴＰＯに合わせた服装を着用するほか、パーソナリティをより明確に示すために、往々にして人と違った装身具を身につけることがある。装身具の種類は大変多く、普遍的に身につけられているのは指輪、ペンダント、イヤリングやブレスレットなどである。これらの装身具のコーディネイト方法により、個人の上品さをアップすると共に、美しいビジュアルを作り出すことができる。
【０００３】
装飾用のチェーンの種類は大変多く、付ける場所に応じて、ブレスレット、アンクレット、ペンダントにベルトチェーンなど、異なる用途と機能を持つ装身具がある。更に衣服や電子製品と組み合わせられるサスペンダーやキーホルダーストラップ、識別証、携帯、デジタルカメラ、ＵＳＢメモリー、ＭＰ３、ＭＰ４などの電子製品を首に掛けるネックストラップなどがある。
【０００４】
従来技術にも様々なブレスレットやアンクレット、ペンダントにウェストチェーン或いはストラップなどのものがある。図１に示す台湾の公知特許申請案第Ｍ３３６７８４号の装身具１は通常着用部１１及び一つの固定部１２で構成する。着用部１１は一本の長いパーツであり、該着用部１１の長さはものによって調整することができ、異なる長さのブレスレット或いはペンダントなどに形成することができる。更に固定部１２の部品を掛合することにより、着用部１１がサークル状に構成するため、腕や首或いはウェストに着用することができる。
【０００５】
従来技術の着用部は通常一本の長い構造のみであり、他の変化に遂げることができない。例えば着用部は一本が二本に、或いはその他の異なる変化に変えることができず、着用部全体が変化しない単調なものとなることで、装身具全体の実用性を下げてしまうため、更なる改善が必要であった。
【先行技術文献】
【特許文献】
【０００６】
【特許文献１】台湾特許申請案第Ｍ３３６７８４号明細書
【考案の概要】
【考案が解決しようとする課題】
【０００７】
本考案の第１の目的は、互いに噛合或いは分離するファスナータイプの装身具の構造を提供することにある。
本考案の第２の目的は、着用しやすい装身具の構造を提供することにある。
本考案の第３の目的は、ベストな剛性及び、耐摩性及び耐水性を具有する装身具の構造を提供することにある。
本考案の第４の目的は、多変性の外観を具有する装身具の構造を提供することにある。
【課題を解決するための手段】
【０００８】
前記課題を解決するために、本考案は装身具の構造を提供するものである。一つのファスナー本体及び少なくとも一つの引き手、一つのオスボタン及びメスボタンを含む。該ファスナー本体は並列に設置し、互いに噛合して一体化できる第一チェーン及び第二チェーンを具有し、該第一チェーン及び第二チェーンはそれぞれ複数の互いに連結する第一エレメント及び第二エレメントで構成する。該スライダーを該ファスナー本体に設置し、該第一チェーン及び第二チェーンが互いに分離或いは噛合するのをコントロールする。オスボタンを該ファスナー本体の一端に設置し、メスボタンを該ファスナー本体の該オスボタンの別端に設置し、該オスボタンと掛合する。
【０００９】
最良実施例では、ファスナー本体の素材はポリアセタール(ＰＯＭ)であり、第一エレメント及び第二エレメントの表面に複数のクリスタルダイヤモンド或いはスパンコールを設ける。スライダーに一つの引き手を設置し、該引き手は更にリング或いはチャームをつけることができる。オスボタン及びメスボタンの素材は共にポリアセタール(ＰＯＭ)である。
従来技術と比べ、本考案の装身具の構造はファスナー本体が相互に噛合或いは分離する第一チェーン、第二チェーンを形成し、変化に富むようにする。第一エレメント或いは第二エレメントの表面にクリスタルダイヤモンドやスパンコールを設置し、美しさを引き立つ。更にオスボタン、メスボタンを設置することにより、着用しやすくなり、従来技術の単調で変化がない欠点を無くす。
【００１０】
本考案は下記の特徴を有する。
（１）ファスナー本体、スライダー、オスボタン、メスボタンを含み、
該ファスナー本体は並列に設置し、互いに噛合して一体化できる第一チェーン及び第二チェーンを具有し、該第一チェーン及び第二チェーンはそれぞれ複数の互いに連結する第一エレメント及び第二エレメントで構成し、
少なくとも一つのスライダーを該ファスナー本体に設置し、該第一チェーン及び第二チェーンが互いに分離或いは噛合するのをコントロールし、及び、
オスボタンを該ファスナー本体の一端に設置し、
メスボタンを該ファスナー本体の該オスボタンの別端に設置し、該オスボタンと掛合することを特徴とする装身具の構造。
（２）前記ファスナー本体の素材はポリアセタール(ＰＯＭ)であることを特徴とする（１）記載の装身具の構造。
（３）前記第一エレメント及び第二エレメントの表面に複数のクリスタルダイヤモンド或いはスパンコールを設置できることを特徴とする（１）記載の装身具の構造。
（４）前記スライダーに一つの引き手を設置し、該引き手は更にリング或いはチャームを設置できることを特徴とする（１）記載の装身具の構造。
（５）前記スライダーに一つのフックを設置することを特徴とする（１）記載の装身具の構造。
（６）前記オスボタンの素材はポリアセタール(ＰＯＭ)であることを特徴とする（１）記載の装身具の構造。
（７）前記メスボタンの素材はポリアセタール(ＰＯＭ)であることを特徴とする（１）記載の装身具の構造。
【考案の効果】
【００１１】
本考案は、ファスナー本体とスライダー、オスボタン及びメスボタンを含み、該ファスナー本体に第一チェーン及び第二チェーンを具有し、各チェーンに連結するエレメントで構成する。第一エレメント或いは第二エレメントの表面にクリスタルダイヤモンドやスパンコールを設置する、または引き手の数を増やしたり、チャームなどをつけたりすることで美しさを引き立つ。更にオスボタン、メスボタンを設置することにより、着用しやすくなる。簡単につけられて、変化に富み、耐用性、耐摩性及び耐水性に優れる。
【図面の簡単な説明】
【００１２】
【図１】従来技術の立体略図である。
【図２】本考案の最良実施例の立体略図である。
【図３】本考案の最良実施例の別の立体略図である。
【図４】本考案の第二の最良実施例の略図である。
【図５】本考案の第三の最良実施例の略図である。
【産業上の利用可能性】
【００１３】
本考案の明細書を読みやすくするために、以下の説明は装身具の構造の実施状態と基本構想を示すものであり、部品の数や形状、サイズなど、これにより本考案の保護範囲が限定されるものではなく、実際実施時のデザインに基づき変えることができる。
【考案を実施するための形態】
【００１４】
図２及び図３に示すのは、本考案の最良実施例の立体構造略図である。図２Ａ及び図２Ｂに示す本考案の装身具の構造２に含まれるのはファスナー本体２１、及び本体２１に設置するスライダー２２、ファスナー本体２１の一端に設けるオスボタン２３及び別端に設けるメスボタン２４である。
【００１５】
ファスナー本体２１は並列に設置し、互いに噛合して一体化する第一チェーン２１１及び第二チェーン２１２を具有する。第一チェーン２１１は複数の互いに連結する第一エレメント２１３で構成し、第二チェーン２１２は複数の互いに連結する第二エレメント２１４で構成する。本実施例では、ポリアセタール(ＰＯＭ)のファスナー本体のほか、第一エレメント２１３及び第二エレメント２１４はいずれもポリアセタール(ＰＯＭ)を使用するため、ファスナー本体２１の剛性及び耐摩性、耐水性に優れる。また、第一エレメント２１３及び第二エレメント２１４はそれぞれ異なる色を使用することができる。実施する際、ファスナー本体２１の長さは異なるニーズに基づき、異なる長さにすることができ、様々なサイズのブレスレット、ペンダント、ウェストチェーンを形成する。
【００１６】
スライダー２２をファスナー本体２１に通し、引き手２２１を一つ設ける。ユーザーは引き手２２１で第一エレメント２１１及び第二エレメント２１２を互いに分離或いは噛合することができる。本考案のスライダー２２は亜鉛合金の素材を使用し、表面に低温のスプレーペイント或いは低温の焼付け塗装で色づけし、ファスナー本体２１に様々な色を付けることができる、或いはファスナー本体２１の色に合わせることもできる。これに制限されることなく、他の実施例では、スライダー２２は他の合金或いはプラスティック製にすることもできる。
【００１７】
オスボタン２３をファルナー本体２１の一つのフリーエンドに設置し、オスボタン２３の突出した部分に掛合部２３１を設ける。本考案では、オスボタン２３はポリアセタール(ＰＯＭ)を使用し、剛性、耐摩性及び耐水性に優れる。
【００１８】
メスボタン２４をファスナー本体２１のオスボタン２３の相対する別のフリーエンドに設置する。メスボタン２４は一つの掛合槽２４１を具有する。本考案ではメスボタン２４はポリアセタール(ＰＯＭ)を使用し、剛性、耐摩性及び耐水性に優れる。
【００１９】
実施する際、オスボタン２３及びメスボタン２４を互いに掛合し、ファスナー本体２１を一つのサークル状のものに形成し、腕や首、或いはウェストなどに掛けることができる。スライダー２２で第一エレメント２１１及び第二エレメント２１２を全て分離する、或いは一部分離することができ、また、一部噛合、或いは全部噛合するなど、異なる形状にできるため、装身具構造２は更に変化に富むようになる。オスボタン２３及びメスボタン２４は片手で外したり、掛合したりすることができるため、大変便利である。
【００２０】
図４に示すのは、本考案の第二最良実施例の略図である。本考案の装身具の構造２の第一エレメント及び第二エレメント２１４にクリスタルダイヤモンド３１やスパンコール、或いはその他の装飾品を設置することができ、装身具の構造２が更に明るく変化に富むようになる。更にスライダー２２の引き手２２１にもクリスタルダイヤモンド３１を設置することができる。また、本考案の装身具の構造２は、生地３２に設置することができ、実用性がアップする。
【００２１】
図５に示すのは本考案の第三最良実施例の立体略図である。本考案の装身具の構造２のファスナー本体２１に、複数のスライダー２２を設置することができる。本実施例では二つのスライダー２２を設置し、一つ或いは二つのスライダー２２の引き手２２１にチャーム３３をつけることができる。また、複数のスライダー２２の色は異なる色にすることができ、スライダー２２は更に変化に富む。複数のスライダー２２のどちらでも第一チェーン２１１及び第二チェーン２１２を噛合或いは分離することができるため、更に異なった変化を見せる。
【００２２】
従来技術と比べ、本考案の装身具の構造は、ファスナー本体及び、ファスナー本体の第一、第二チェーンを相互に噛合或いは分離させるスライダーを組み合わせることで、異なるデザインになり、全体を更に変化に富むようにする。また、第一、第二エレメントにクリスタルダイヤモンドや他の飾り物を設置して、全体を明るくすることができる。更にスライダーの数を複数個にし、引き手に異なるチャームを設置して、全体を変化に富むようにする。更に、ファスナー本体、オスボタン及びメスボタンはポリアセタール(ＰＯＭ)の素材を使用するため、ベストな剛性、耐摩性、耐水性を具有し、重量が軽い特性を持つなど、装身具の使用寿命を延ばすことになる。オスボタン及びメスボタンは機能的に掛合しやすく、外し易いため、実用性を備える。
【００２３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２４】
１  装飾品
１１  着用部
１２  固定部
２  装身具の構造
２１  ファスナー本体
２１１  第一チェーン
２１２  第二チェーン
２１３  第一エレメント
２１４  第二エレメント
２２  スライダー
２２１  引き手
２３  オスボタン
２３１  掛合部
２４  メスボタン
２４１  掛合槽
３１    クリスタルダイヤモンド
３２  生地
３３  チャーム
【図１】
0003160670.tif 000003
【図２】
0003160670.tif 000004
【図３】
0003160670.tif 000005
【図４】
0003160670.tif 000006
【図５】
0003160670.tif 000007